(57)【要約】【課題】籾殻収納庫内に籾柄を収納し、例えば、圃場や畑内において、コンバイン機体を走行し、走行時において、後方傾動機構により籾殻収納庫を後方傾動すると共に扉開閉機構により扉体を開動作することにより籾殻収納庫内の籾殻は排出口部から落下排出され、圃場や畑内に籾殻を散布することができる。【解決手段】コンバイン機体１に籾殻収納庫６を後方傾動自在に搭載し、籾殻収納庫を後方傾動させる後方傾動機構９を設け、籾殻収納庫の後部に排出口部７を設け、排出口部を開閉可能な扉体１１を設け、扉体を開閉させる扉開閉機構１３を設けてなる。【選択図】図１
2005229916.tif 000002
【特許請求の範囲】
【請求項１】
コンバイン機体に籾殻収納庫を後方傾動自在に搭載し、該籾殻収納庫を後方傾動させる後方傾動機構を設け、該籾殻収納庫の後部に排出口部を設け、該排出口部を開閉可能な扉体を設け、該扉体を開閉させる扉開閉機構を設けてなることを特徴とする籾殻散布装置。
【請求項２】
上記後方傾動機構は籾殻収納庫の傾動角度を調節可能に設けられていることを特徴とする請求項１記載の籾殻散布装置。
【請求項３】
上記扉開閉機構は上記扉体の開口度合を調節可能に設けられていることを特徴とする請求項１又は２記載の籾殻散布装置。
【請求項４】
上記コンバイン機体の走行部にゴムクローラ履帯が設けられていることを特徴とする請求項１〜３のいずれか１項に記載の籾殻散布装置。
【請求項５】
上記籾殻収納庫の底面に滑用材が用いられていることを特徴とする１〜４のいずれか１項に記載の籾殻散布装置。
【請求項６】
上記コンバイン機体に上記籾殻収納庫の水平姿勢を保持可能な水平姿勢制御機構が設けられていることを特徴とする１〜５のいずれか１項に記載の籾殻散布装置。
【発明の詳細な説明】
【技術分野】
【０００１】
本発明はコンバインの機体を利用して籾殻を圃場等に散布する際に用いられる籾殻散布装置に関するものである。
【背景技術】
【０００２】
従来この種の籾殻散布装置として、トラクターの後方に籾殻容器を連結し、籾殻容器に落下口を設け、落下口に回転羽根を回転自在に横設し、回転羽根の隣り合う羽根板間の容積により籾殻を定量ずつ落下することにより平均に散布するようにした構造のものが知られている。又、コンバイン機体を多目的に利用しようとする構造のものも知られている。
【０００３】
ところで、この籾殻は、圃場の暗渠排水の目詰まり防止材、田畑の有機物材として利用されるものである。
【特許文献１】特開２００３−１５３６２３号公報
【特許文献２】特開平７−１６３２２８号公報
【発明の開示】
【発明が解決しようとする課題】
【０００４】
しかしながら、これら従来構造の場合、トラクタのアタッチメント装置であるため、トラクタの運転操作が面倒であると共に広い圃場に散布するに必要な大容量の籾殻を収納運搬することは、籾殻の重量が大きくなることもあって、籾殻容器の大きさに一定の制約を受けることがあり、又、その散布構造も回転羽根の構造があって複雑化し易いものとなっているという不都合を有している。
【課題を解決するための手段】
【０００５】
本発明はこれらの不都合を解決することを目的とするもので、本発明のうちで、請求項１記載の発明は、コンバイン機体に籾殻収納庫を後方傾動自在に搭載し、該籾殻収納庫を後方傾動させる後方傾動機構を設け、該籾殻収納庫の後部に排出口部を設け、該排出口部を開閉可能な扉体を設け、該扉体を開閉させる扉開閉機構を設けてなることを特徴とする籾殻散布装置にある。
【０００６】
又、請求項２記載の発明は、上記後方傾動機構は籾殻収納庫の傾動角度を調節可能に設けられていることを特徴とするものであり、又、請求項３記載の発明は、上記扉開閉機構は上記扉体の開口度合を調節可能に設けられていることを特徴とするものであり、又、請求項４記載の発明は、上記コンバイン機体の走行部にゴムクローラ履帯が設けられていることを特徴とするものであり、又、請求項５記載の発明は、上記籾殻収納庫の底面に滑用材が用いられていることを特徴とするものであり、又、請求項６記載の発明は、上記コンバイン機体に上記籾殻収納庫の水平姿勢を保持可能な水平姿勢制御機構が設けられていることを特徴とするものである。
【発明の効果】
【０００７】
本発明は上述の如く、請求項１記載の発明にあっては、籾殻収納庫内に籾柄を収納し、例えば、圃場や畑内において、コンバイン機体を走行し、走行時において、後方傾動機構により籾殻収納庫を後方傾動すると共に扉開閉機構により扉体を開動作することにより籾殻収納庫内の籾殻は排出口部から落下排出され、コンバイン機体の走行により圃場や畑内内に籾殻を散布することができ、この際、コンバイン機体を用いているので、トラクタよりも容易に運転操作することができると共に搭載能力を大きくすることができ、籾殻収納庫の籾殻収納量を大きくすることができ、籾殻収納庫内に広い圃場に散布するに必要な大容量の籾殻を収納することができ、それだけ、散布作業性を高めることができる。
【０００８】
又、請求項２記載の発明にあっては、後方傾動機構は籾殻収納庫の傾動角度を調節可能に設けられているから、籾殻の落送散布量を調節することができ、又、請求項３記載の発明にあっては、上記扉開閉機構は上記扉体の開口度合を調節可能に設けられているから、排出口部からの籾殻の落下散布量を調節することができ、均一な散布を得ることができる。
【０００９】
又、請求項４記載の発明にあっては、上記コンバイン機体の走行部にゴムクローラ履帯が設けられているから、圃場等におけるコンバイン機体の軟弱地走行が容易となり、圃場の枕地の損傷を防ぐことができ、又、請求項５記載の発明にあっては、籾殻収納庫の底面に滑用材が用いられているから、籾殻の落送が円滑になされ、籾殻の散布残量を軽減することができ、又、請求項６記載の発明にあっては、上記コンバイン機体に上記籾殻収納庫の水平姿勢を保持可能な水平姿勢制御機構が設けられているから、籾殻の落下散布を均一化することができ、良好な籾殻散布を行うことができる。
【発明を実施するための最良の形態】
【００１０】
図１乃至図５は本発明の実施の形態例を示し、１はコンバイン機体であって、この場合、エンジン２、操縦装置３等が搭載され、コンバイン機体１の左右両側下部に走行部としてゴムクローラー履帯１ａ・１ａが設けられ、この左右のゴムクローラー履帯１ａ・１ａの高さＨを自動又は手動で調節可能な水平姿勢制御機構５・５が設けられ、このコンバイン機体１から刈取装置、脱穀装置、グレンタンク及びその付属装置が取り外されている。
【００１１】
６は籾殻収納庫であって、この場合、四角枠体６ａの上部を開口すると共に周囲の前面、左右側面、後面の四面の上部に網状体６ｂ・６ｂ・６ｂ・６ｂを配設し、後面下部の排出口部７を除く周囲の三面の下部に覆板６ｃ・６ｃ・６ｃを固定配設し、底面に合成樹脂等の滑用材８を配置してなり、この籾殻収納庫６をコンバイン機体１に支点軸４により後方傾動自在に搭載している。
【００１２】
９は後方傾動機構であって、この場合、コンバイン機体１と籾殻収納庫６との間にピン１ｂ・ピン６ｄにより油圧シリンダ１０を架設し、コンバイン機体１に設けられた操縦装置３により油圧シリンダ１０のロッド突出後退量を操作することにより籾殻収納庫６の傾動角度θを調節可能に設けている。
【００１３】
１１は扉体であって、この場合、扉体１１は籾殻収納庫６の後部の上記排出口部７に開閉軸１２を中心として開閉自在に設けられている。
【００１４】
１３扉開閉機構であって、この場合、上記籾殻収納庫６の前部の覆板６ｃに電動モータ１３ａ及び減速機構１３ｂを配設し、減速機構１３ｂの出力軸１３ｃを軸受１３ｄにより軸受し、この出力軸１３ｃの両端部に揺動レバー１３ｅ・１３ｅの基部を固定し、揺動レバー１３ｅ・１３ｅの先端部に連結ロッド１３ｆ・１３ｆの前端部をピン１３ｇ・１３ｇにより枢着すると共に連結ロッド１３ｆ・１３ｆの後端部をピン１３ｈ・１３ｈにより枢着連結し、電動モータ１３ａの正逆回転及び回転量を操縦装置３により操作することにより上記扉体１１の開口度合Ｓを調節可能に設けて構成している。
【００１５】
又、この場合、上記水平姿勢制御機構５・５はシリンダ５ａ・・・により転輪５ｂ・・・を昇降動作させることにより左右のゴムクローラ履帯１ａ・１ａの高さＨをそれぞれ制御し、籾殻収納庫６の水平姿勢を保持可能に構成している。
【００１６】
この実施の形態例は上記構成であるから、図１の如く、籾殻収納庫６内に籾柄Ｗを収納し、例えば、圃場や畑内において、コンバイン機体１を操縦装置３により走行し、走行時において、図２の如く、操縦装置３により後方傾動機構９により籾殻収納庫６を後方傾動すると共に扉開閉機構１３により扉体１１を開動作することにより籾殻収納庫６内の籾殻Ｗは排出口部７から落下排出され、コンバイン機体１の走行により圃場や畑内内に籾殻Ｗを散布することができ、この際、コンバイン機体１を用いているので、トラクタよりも容易に運転操作することができると共に搭載能力を大きくすることができ、籾殻収納庫６の籾殻収納量を大きくすることができ、籾殻収納庫６内に広い圃場に散布するに必要な大容量の籾殻を収納することができ、それだけ、散布作業性を高めることができる。
【００１７】
又、この場合、図３、図５の如く、後方傾動機構９は籾殻収納庫６の傾動角度θを調節可能に設けられているから、籾殻Ｗの落送散布量を調節することができ、又、この場合、上記扉開閉機構１３は上記扉体１１の開口度合Ｓを調節可能に設けられているから、排出口部７からの籾殻Ｗの落下散布量を調節することができ、均一な散布を得ることができる。
【００１８】
又、この場合、上記コンバイン機体１の走行部にゴムクローラ履帯１ａ・１ａが設けられているから、圃場等におけるコンバイン機体１の軟弱地走行が容易となり、圃場の枕地の損傷を防ぐことができ、又、この場合、籾殻収納庫６の底面に滑用材８が用いられているから、籾殻Ｗの落送が円滑になされ、籾殻Ｗの散布残量を軽減することができ、又、この場合、上記コンバイン機体１に上記籾殻収納庫６の水平姿勢を保持可能な水平姿勢制御機構５・５が設けられているから、籾殻Ｗの落下散布を均一化することができ、良好な籾殻散布作業を行うことができる。
【００１９】
尚、本発明は上記実施の形態例に限られるものではなく、例えばコンバイン機体１、籾殻収納庫６、後方傾動機構９、扉開閉機構１３の構造等は適宜変更して設計される。
【００２０】
以上、所期の目的を充分達成することができる。
【図面の簡単な説明】
【００２１】
【図１】本発明の実施の形態例の側面図である。
【図２】本発明の実施の形態例の側面図である。
【図３】本発明の実施の形態例の拡大側面図である。
【図４】本発明の実施の形態例の部分拡大前面図である。
【図５】本発明の実施の形態例の部分拡大側面図である。
【符号の説明】
【００２２】
Ｗ    籾殻
１    コンバイン機体
５    水平姿勢制御機構
６    籾殻収納庫
７    排出口部
８    滑用材
９    後方傾動機構
１１    扉体
１３    扉開閉機構
【図１】
2005229916.tif 000003
【図２】
2005229916.tif 000004
【図３】
2005229916.tif 000005
【図４】
2005229916.tif 000006
【図５】
2005229916.tif 000007